(57)【要約】【課題】軽量で高い断熱性を持ち、かつ、高い曲げ強度が得られ、また、芯材とセメント層とが剥がれにくい建築用板材を提供する。【解決手段】上下面を貫通する透孔６が板面全体に分散して多数設けられ、硬化性樹脂の溶液中に浸漬することにより防水処理を施した段ボール板１の上下両面にガラス繊維シート４，４を設け、その外側全体に硬化性樹脂層７を設ける。表，裏の硬化性樹脂層７，７は、透孔６を介して連結されて段ボール板１，ガラス繊維シート４，４から剥がれにくくなる。また、段ボール板１の内部に空洞３が存在するため、軽量で高い断熱性が得られる。【選択図】                図３
2004316124.tif 000002
【特許請求の範囲】
【請求項１】
段ボール板に硬化性樹脂を含浸させて防水処理を施して形成したことを特徴とする建築用板材。
【請求項２】
硬化性樹脂を含浸させて防水処理を施した段ボール板の片面にセメント層を形成したことを特徴とする建築用板材。
【請求項３】
硬化性樹脂を含浸させて防水処理を施した段ボール板の外側全体をさらに硬化性樹脂で覆って板状に形成したことを特徴とする建築用板材。
【請求項４】
前記段ボール板に、上下面を貫通する透孔を板面全体に分散させて多数設けたことを特徴とする請求項３記載の建築用板材。
【請求項５】
前記段ボール板の上下面の少なくとも一方に補強繊維層を設けたことを特徴とする請求項２，３又は４記載の建築用板材。
【発明の詳細な説明】
【０００１】
【発明の属する技術分野】
本発明は、建築物の外壁や屋根等を被覆する際に用いることができる建築用板材に関するものである。
【０００２】
【従来の技術】
建築物の外壁には、壁を保護したり、外観をきれいにしたりするため、サイディングボード等の化粧板が設けられる。また、屋根には、防水や断熱等のため板状の瓦が設けられる。それらのサイディングボードや瓦等には、金属，プラスチック，セメント等、様々な材料が用いられるが、その内、セメントは、耐候性に優れ、ある程度断熱性や機械的強度もあり、製造も比較的容易でコストも低いためよく用いられている。
【０００３】
そのようなセメント製のサイディングボードや瓦では、機械的強度をより大きくするため、内部に金属線やガラス繊維等よりなる補強材を埋め込むことも行われている。しかし、セメントは重量が大きくて施工時に取り扱いにくく、建物に対しても重量負担が過大になる。また、ある程度断熱性は得られるが必ずしも十分ではない。さらに、内部に金属線やガラス繊維等よりなる補強材を埋め込んだとしても、硬い床に落としたときなどに割れることがあったりして、機械的強度の点でも不十分な点がある。
【０００４】
それに対して、下記特許文献１に示されるように、板状の発泡樹脂を芯材とし、その片面又は両面に繊維シートを設け、その表面にセメントを主体とする硬化体層を形成した建築用板材が提案されている。このようにすれば、発泡樹脂を芯材としているため、軽量になるとともに高い断熱性が得られ、また、芯材の片面又は両面に繊維シートを設けているため、所定の機械的強度も得られる。
【０００５】
【特許文献１】
特開平６−１７３３８５号公報
【０００６】
【発明が解決しようとする課題】
しかしながら、上記板状の発泡樹脂を芯材とした建築用板材では、発泡樹脂の板は、一般的に曲げに対して弱く、それを芯材とした建築用板材の曲げ強度もあまり大きくできないという問題点があった。また、セメントを主体とする硬化体層は、芯材の片面又は両面に設けた繊維シートの表面に付着させているだけなので、芯材と硬化体層とが剥がれ易いという問題点もあった。
【０００７】
本発明は、そのような問題点を解決すること、すなわち、低コストで、軽量で高い断熱性を持った建築用板材が得られる上、高い曲げ強度が得られ、また、芯材と硬化体層とが剥がれにくい建築用板材を提供することを目的とするものである。
【０００８】
【課題を解決するための手段】
前記課題を解決するため、請求項１に記載の建築用板材は、段ボール板に硬化性樹脂を含浸させて防水処理を施して形成したことを特徴とする。ここで、「硬化性樹脂」とは、溶液の状態で対象物に付着させた後、熱，湿気等の作用で硬化する合成樹脂のことをいう。このようにすると、低コストで、軽量で高い断熱性を持った建築用板材が得られる上、高い曲げ強度が得られる。
【０００９】
また、請求項２に記載の建築用板材は、硬化性樹脂を含浸させて防水処理を施した段ボール板の片面にセメント層を形成したことを特徴とする。このようにすると、上記のことに加えて、セメントの質感を持たせ、かつ、より高い断熱性と機械的強度を持たせることができる。
【００１０】
また、請求項３に記載の建築用板材は、硬化性樹脂を含浸させて防水処理を施した段ボール板の外側全体をさらに硬化性樹脂で覆って板状に形成したことを特徴とする。このようにすると、機械的強度、特に曲げ強度が増大する上、板材の厚さや形状を自在に選択可能になる。
【００１１】
また、請求項４に記載の建築用板材は、前記段ボール板に、上下面を貫通する透孔を板面全体に分散させて多数設けたことを特徴とする。このようにすると、上記のことに加えて、芯材である段ボール板とセメント層や硬化性樹脂層とが剥がれにくくなる。
【００１２】
また、請求項５に記載の建築用板材は、前記段ボール板の上下面の少なくとも一方に補強繊維層を設けたことを特徴とする。このようにすると、上記のことに加えて、機械的強度をより一層大きくすることができる。
【００１３】
【発明の実施の形態】
以下、本発明の実施の形態を図面に基づいて詳細に説明する。
図１は、本発明の第１実施形態を示す図である。図１において、１は段ボール板、２は波状板紙、３は波状板紙２で形成される直線状の空洞である。
【００１４】
この段ボール板１は、必要に応じて単層あるいは複数層に積層した状態で、予めポリエステル樹脂溶液中に浸漬し、その後余分の樹脂を流下させた後、乾燥させて防水処理を施している。そのような処理を施された段ボール板１は、波状板紙２の間に空洞３を残した状態で、紙の繊維の間にポリエステル樹脂が含浸されて硬化した状態になり、耐水性を有し、かつ、硬くなって容易には折れ曲がらなくなる。それをそのまま建築用板材として使用することもできる。
【００１５】
このような段ボール板１は、低コストで、極めて軽量で、高い断熱性と高い曲げ強度を持った建築用板材として利用できる。しかしながら、段ボール板１だけでは質感等、外観上の面で不十分さが残る。そこで、段ボール板１の表面に他の層を設けることで、そのような問題点を補うこともできる。
【００１６】
図２は、本発明の第２実施形態を示す断面図である。段ボール板１は、図１のものと基本的に同じ構造のものであり、その片面上に補強繊維層としてガラス繊維シート層４を内在させてセメント層５を接着一体化させている。この実施形態によれば、建築用板材にセメントの質感を持たせることができ、かつ、より高い断熱性と機械的強度を持たせることができる。さらに、セメント層５の表面を加工することにより、任意の凹凸模様を施すこともでき、デザイン性が向上する。
【００１７】
図３は、本発明の第３実施形態を示す断面図である。段ボール板１は、やはり図１のものと基本的に同じ構造のものであり、その上下両面を硬化性樹脂層７で覆っている。段ボール板１には、図４に平面図を示すように、上下面を貫通する透孔６が板面全体に分散させて多数設けられている。
【００１８】
そのような段ボール板１の上下面全体にエチレン樹脂エマルジョン等よりなるセメント接着剤を塗布し、さらに、補強繊維層としてのガラス繊維シート層４を上下全面に配設する。
【００１９】
そのように両面にガラス繊維シート４，４を配設した段ボール板１を、図５に示すように、内面にサイディングボードの凹凸模様を有する型９の中央に配置した状態で、型９内に、ポリエステル樹脂のような硬化性の樹脂１０を流し込む。その際に、段ボール板１の空洞３に樹脂１０が流入しないように、段ボール板１の空洞３が開口する端面を、シート状の端部封止材８で封止しておく。そのようにして型９内に樹脂１０を注入すると、注入された樹脂１０は、段ボール板１の外周全体に充填されるとともに、段ボール板１の透孔６内にも充填される。
【００２０】
その後、樹脂１０が硬化したら型９から取り出す。その結果、図６に示すような、上面に凹凸模様１２を有する平らなサイディングボード１１が形成される。樹脂１０が硬化して硬化性樹脂層７になった状態では、段ボール板１の両側に分けられた硬化性樹脂層７，７が透孔６を通して強固に連結され、硬化性樹脂層７が段ボール板１から剥がれにくくなる。
【００２１】
そのようにして形成されたサイディングボード１１は、内部に上下面と平行に、樹脂含浸により硬くなった段ボール板１の両面に硬化性樹脂層７が形成されて、機械的強度、特に曲げ強度が増大する。その上、ガラス繊維シート４，４が設けられているため、さらに大きな機械的強度が得られる。
【００２２】
また、段ボール板１の内部には、大きな容積を持つ空洞３が存在するため、サイディングボード１１の重量を大幅に低減することができ、壁の建築工事が容易になり、また、建物に対する重量負担を軽減できる。その上、サイディングボード１１の内部で全体にわたって空洞３を持つ段ボール板１が存在するため、熱伝導が低くなって、高い断熱効果が得られる。
【００２３】
なお、このようなサイディングボード１１を建築物の外壁に用いた場合、硬化性樹脂層７の耐候性が問題となる。そこで、必要に応じて、サイディングボード１１の表面に、耐候性塗料を塗布したり、セメント層を施したり、タイルを貼り付けたりすることができる。その場合、特に、タイルを貼り付ける場合は、サイディングボード１１の表面は、凹凸模様１２を設けずに平面にする。
【００２４】
また、上記第１〜第３実施形態では、硬化性樹脂としてポリエステル樹脂を使った場合で説明したが、それに限定されず、熱，湿気等の作用で硬化する樹脂であれば、ポリウレタン樹脂等の他の樹脂を用いることもできる。
【００２５】
また、上記第１〜第３実施形態では、本発明をサイディングボードに適用した場合で説明したが、本発明はそれに限定されず、瓦等、その他の建築用板材にも適用することができる。また、上記実施形態では、２枚の段ボール板１を積層して用いた場合を示したが、段ボール板１は１枚でもよいし、３枚以上の段ボール板を積層して用いてもよい。そのように段ボール板１の枚数を多くすれば、より一層軽量化され、断熱性も向上する。その場合、各段ボール板の波状板紙の波付け方向が互いに交差するように設ければ、あらゆる方向への曲げ応力に対して、高い強度が得られる。さらに、複数枚の段ボール板の間にも硬化性樹脂層を介在させてサンドイッチ状にし、その上下面にガラス繊維シート４を設け、その上にセメント層３や硬化性樹脂層７を設けるようにしてもよい。
【００２６】
【発明の効果】
本発明は、以上説明したように構成されているので、次に記載するような効果を奏する。
すなわち、請求項１に記載の建築用板材は、段ボール板に硬化性樹脂を含浸させて防水処理を施して形成したので、低コストで、軽量で高い断熱性を持った建築用板材が得られる上、高い曲げ強度が得られる。
【００２７】
また、請求項２に記載の建築用板材は、硬化性樹脂を含浸させて防水処理を施した段ボール板の片面にセメント層を形成したので、上記のことに加えて、セメントの質感を持たせ、かつ、より高い断熱性と機械的強度を持たせることができる。
【００２８】
また、請求項３に記載の建築用板材は、硬化性樹脂を含浸させて防水処理を施した段ボール板の外側全体をさらに硬化性樹脂で覆って板状に形成したので、機械的強度、特に曲げ強度が増大する上、板材の厚さや形状を自在に選択可能になる。
【００２９】
また、請求項４に記載の建築用板材は、前記段ボール板に、上下面を貫通する透孔を板面全体に分散させて多数設けたので、芯材である段ボール板とセメント層や硬化性樹脂層とが剥がれにくくなる。
【００３０】
また、請求項５に記載の建築用板材は、前記段ボール板の上下面の少なくとも一方に補強繊維層を設けたので、機械的強度をより一層大きくすることができる。
【図面の簡単な説明】
【図１】本発明の第１実施形態を示す図である。
【図２】本発明の第２実施形態を示す断面図である。
【図３】本発明の第３実施形態を示す断面図である。
【図４】段ボール板の平面図である。
【図５】図３のものの製造方法を示す図である。
【図６】サイディングボードの平面図である。
【符号の説明】
１…段ボール板
２…波状板紙
３…空洞
４…ガラス繊維シート層
５…セメント層
６…透孔
７…硬化性樹脂層
８…端部封止材
９…型
１０…樹脂
１１…サイディングボード
１２…凹凸模様
【図１】
2004316124.tif 000003
【図２】
2004316124.tif 000004
【図３】
2004316124.tif 000005
【図４】
2004316124.tif 000006
【図５】
2004316124.tif 000007
【図６】
2004316124.tif 000008